(57)【特許請求の範囲】
【請求項１】
ベース上に受圧ブロックを配設し、該受圧ブロックに対向して上方に加圧ブロックを配設し、該加圧ブロックを下降することにより、該受圧ブロック上に横置した空容器の天板及び底板間の胴部を該受圧ブロックと加圧ブロック間にて挟み圧縮変形する空容器潰し機において、該加圧ブロックの外側に該空容器の圧縮変形に伴って相対方向へ接近する天板（又は底板）上部の内面を外方へ片押しし傾斜変形せしめる上部片押し部を設け、該受圧ブロックの外側に底板（又は天板）下部の内面を外方へ片押しし、傾斜変形せしめる下部片押し部を設けたことを特徴とした空容器潰し機。
【発明の詳細な説明】
【０００１】
【産業上の利用分野】
本発明は、使用済みの１８リットル缶等の大容量の空容器を潰し、扁平に圧縮変形する潰し機に関する。
【０００２】
【従来の技術】
【特許文献１】
特開２０００−２０２６９５
【０００３】
特許文献１は、上下の板で空容器を挟み、空容器の胴部を扁平に圧縮変形して天板と底板がフランジ状に張り出したＨ字形状に変形する空容器潰し機を示している。
【０００４】
【発明が解決しようとする課題】
而して、特許文献１の方法によりＨ字形状に変形した空容器は、扁平に圧縮された胴板に対し、天板と底板が直角に張り出し、換言すると天板と底板の中央部から胴板が垂直に延びた剛構造となる。
【０００５】
従って、上記Ｈ字形状に変形された空容器の天板又は底板を床面に設置し、該空容器を垂直上方より天板又は底板を押圧して扁平圧潰せんとした場合には、扁平胴板の垂直抗力により強大な圧潰力を要する。
【０００６】
本発明は、上記の問題点を解決する空容器潰し機を提供する。本空容器潰し機は、ベース上に受圧ブロックを配設し、該受圧ブロックに対向して上方に加圧ブロックを配設し、該加圧ブロックを下降することにより、該受圧ブロック上に横置した空容器の天板及び底板間の胴部を該受圧ブロックと加圧ブロック間にて挟み圧縮変形する空容器潰し機において、該加圧ブロックの外側に該空容器の圧縮変形に伴って相対方向へ接近する天板（又は底板）上部の内面を外方へ片押しし傾斜変形せしめる上部片押し部を設け、該受圧ブロックの外側に底板（又は天板）下部の内面を外方へ片押しし、傾斜変形せしめる下部片押し部を設けた。
【０００７】
これにより空容器の胴部を扁平に圧縮しつつ、同時に天板と底板を傾斜変形せしめ、爾後の底板と天板間における圧縮変形作業を容易にした。
【０００８】
【発明の実施の形態】
本発明の空容器潰し機の構成を図１乃至図１０に基づき説明する。図１に示すように、ベース１上に前後方向に延在した受圧ブロック１６を配設した、該受圧ブロック１６に対向して上方に、前後方向に延在した加圧ブロック１７を配設する。
【０００９】
又、上記加圧ブロック１７を取付けたヘッド３の後辺に枠形の後部ガイド８を設け、該後部ガイド８をベース１の後辺から立設した支柱２に外挿し、該ヘッド３を後部ガイド８の案内下で加圧ブロック１７と一体に該支柱２に沿って上下動せしめる。
【００１０】
上記後部ガイド８は、支柱２に対し前後方向に一定の遊びを有し、この遊びにより加圧ブロック１７の前後の傾きを許容する。
【００１１】
上記支柱２に該ベース１の上方において上下回動する操作レバー４の基端を支軸５を以って枢支して、ベース１前方へ向け延設し、該操作レバー４と該ヘッド３間を中間リンク６・７にて枢結し、該操作レバー４の支軸５を支点とする上下回動によりヘッド３即ち加圧ブロック１７を上下動する。
【００１２】
上記操作レバー４の回動運動をヘッド３に伝達する中間リンクは、前後に間隔を置いて並設した二本のリンク６・７で形成し、各リンク６・７の上端を操作レバー４の中間延在部の前後に支軸９・１０を以って各々枢結すると共に、各リンク６・７の下端を上記ヘッド３の前後に支軸１１・１２を以って枢結する。よって、操作レバー４とヘッド３間を二本の並行リンク６・７にて連結する。
【００１３】
操作レバー４の支軸５とは反対側の端部に手操作用の把手１３を配設し、また操作レバー４に係止ピン１４を配設すると共に、上記支柱２の支軸５の上部に枢支した上下回動するフック１５を配設し、該操作レバー４を上方回動位置（待機位置）において上記フック１５を該係止ピン１４に係止することにより、該操作レバー４を上方回動位置で保持し、上記受圧ブロック１６上に空容器２６を横置する。
【００１４】
図１、図２に示すように上記加圧ブロック１７の外側に空容器２６の天板２７（又は底板２８）上部内面を片押しする前後方向に延在する上部片押し部１９を配設し、上記受圧ブロック１６の外側に地板２８（又は天板２７）下部の内面を片押しする前後方向に延在する下部片押し部１８を配設する。
【００１５】
又、図１に示すようにベース１の前方に縦ガイドレール２０を立設し、該縦ガイドレール２０に沿って上記加圧ブロック１７の前端の上下動を案内する該縦ガイドレール２０に滑合した前部ガイド２１を該加圧ブロック１７に配設する。
【００１６】
又、ベース１上に、受圧ブロック１６上に横置した空容器２６の位置決めストッパー２２・２３を、受圧ブロック１６を中央にして左右に対向して配置する。
【００１７】
この位置決めストッパー２２・２３は例えばＬ形を呈し、Ｌ形の内部に天板２７と底板２８のエッジ部を係合して空容器２６の前後、左右の位置決めを図る。
【００１８】
又、上記ベース１の前端から、前方向に延びる安定アーム２４・２５を上記操作レバー４と平行に並設し、該安定アーム２４・２５の中間線上に上記操作レバー４が延び、同中間線上において上下回動するように構成している。
【００１９】
図３、図４に示すように、空容器２６の胴部を受圧ブロック１６上に横置してストッパー２２・２３に当接し、フック１５を係止ピン１４から解除し操作レバー４を下降回動し、よって加圧ブロック１７は中間リンク６・７を介して下降し、第一次押圧で上記空容器２６の胴部中央を扁平に圧縮変形する。
【００２０】
而して、図２に示すように、上記空容器２６は圧縮変形に伴って相対方向へ接近する天板２７（又は底板２８）上部の内面を上部片押し部１９が外方へ片押しして傾斜変形せしめ、底板２８（又は天板２７）下部の内面を下部片押し部１８が外方へ片押しして傾斜変形せしめる。
【００２１】
上記上部片押し部１９はその外側面に下向き傾斜面（加圧面）を、又下部片押し部１８はその外側面に上向き傾斜面（加圧面）を各々有する加圧子であり、これを上記ブロック１６・１７の外側面に各々突設する。
【００２２】
而して、上記の圧縮変形した空容器２６は、図２、図５に示すように扁平に圧縮された胴板２９に対し天板２７と底板２８が傾斜して張り出す。
【００２３】
ついで、操作レバー４を上方回動し、上記フック１５で以って係止軸１４を係止して、加圧ブロック１７を上方回動位置で保持し、図６・図７に示すように上記圧縮変形した空容器２６の天板２７又は底板２８を、胴板２９の傾斜方向を受圧ブロック１６の前後方向にして、受圧ブロック１６上に設置する。
【００２４】
第二次押圧で、フック１５を解除して操作レバー４を下降回動し、加圧ブロック１７を下降し、該空容器２６の天板２７又は底板２８を押圧する。
【００２５】
而して、上記空容器２６の胴板２９が、図７、図８に示すように、前後又は左右に傾斜していることにより、天板２７又は、底板２８に加圧ブロック１７で垂直押圧力を与えると、該扁平胴板２９は、加圧ブロック１７が下降するに伴い容易に前後又は左右方向に倒れ、図９、図１０に示すように該空容器２６は折り畳まれ扁平に圧潰される。
【００２６】
尚、上記空容器２６を押圧する方法は、油圧シリンダー方式、エアーシリンダー方式、油圧ジャッキ方式等のいずれの方式でも良い。
【００２７】
【発明の効果】
本発明の空容器潰し機によれば、空容器の胴部中央の圧縮変形に伴って、相対方向へ接近する天板（又は底板）上部の内面を、上部片押し部が外方へ片押しして傾斜変形せしめ、底板（又は天板）下部の内面を、下部片押し部１８が外方へ片押しして傾斜変形せしめることにより、扁平に圧縮された胴板に対し、天板と底板が傾斜して張り出す。
【００２８】
而して、該空容器の天板と底板を上下にして、該空容器を上方から押圧すると胴板が、図７に示すように、前後に傾斜していることにより、加圧ブロックの押圧に対し空容器の応圧力方向が前後方向に向く、従って該空容器を押圧すると天板又は、底板が前後方向に滑り、該胴板は前後方向に倒れ該空容器は折り畳まれ、小さい押圧力で扁平に圧潰される。
【図面の簡単な説明】
【図１】本発明の空容器潰し機の全体斜視図である。
【図２】空容器の胴部を圧縮変形しつつ天板と底板を傾斜変形せしめた状態を表す空容器潰し機の正面図である。
【図３】横置した空容器の胴部中央を、受圧ブロックと加圧ブロックにて挟んだ状態を表した空容器潰し機の全体斜視図である。
【図４】横置した空容器の胴部を加圧ブロックと受圧ブロックにて圧縮した状態を表す空容器潰し機の全体側面図である。
【図５】空容器の缶胴中央を圧潰し、扁平に圧縮された胴板に対し天板と底板が傾斜して張り出した状態を表す空容器の斜視図である。
【図６】扁平胴板の傾斜方向を受圧ブロックの前後方向にし、底板を受圧ブロック上に設置した状態を表す空容器潰し機の斜視図である。
【図７】扁平胴板の傾斜方向を受圧ブロックの前後方向にし、底板を受圧ブロック上に載置し、天板に加圧ブロックを当接した状態を表す空容器潰し機の全体側面図である。
【図８】受圧ブロック上に載置した空容器の天板を加圧ブロックにて押圧して、該空容器を扁平状に圧潰した状態を表す空容器潰し機の全体側面図である。
【図９】扁平状に圧潰された空容器の平面図である。
【図１０】扁平状に圧潰された空容器の側面図である。
【符号の説明】
１−ベース
２−支柱
３−ヘッド
４−操作レバー
５−操作レバー後端支軸
６・７−中間リンク
８−後部ガイド
９乃至１２−中間リンク支軸
１３−操作レバーの把手
１４−係止ピン
１５−フック
１６−受圧ブロック
１７−加圧ブロック
１８−下部片押し部
１９−上部片押し部
２０−縦ガイドレール
２１−前部ガイド
２２・２３−空容器位置決めストッパー
２４・２５−安定アーム
２６−空容器
２７−空容器の天板
２８−空容器の底板
２９−空容器の胴板
【図１】
0003728737.tif 000002
【図２】
0003728737.tif 000003
【図３】
0003728737.tif 000004
【図４】
0003728737.tif 000005
【図５】
0003728737.tif 000006
【図６】
0003728737.tif 000007
【図７】
0003728737.tif 000008
【図８】
0003728737.tif 000009
【図９】
0003728737.tif 000010
【図１０】
0003728737.tif 000011